(57)【特許請求の範囲】
【請求項１】
記録媒体が同心円状及びスパイラル状のいずれかの複数のトラックによって構成され、前記記録媒体における記録単位内のトラックにおいてランダムな記録を行わず、外周方向から内周方向のトラックへの順次記録及び内周方向から外周方向のトラックへの順次記録のうちの一方を示すインクリメント記録を行う情報記録再生装置であって、再生ヘッドの再生トラック幅が任意の記録単位と別の記録単位との間における隣接トラックのトラックピッチを示す記録単位間のトラックピッチより小さくかつ任意の記録単位内における隣接トラックのトラックピッチを示す記録単位内のトラックピッチより大きくするようにしたことを特徴とする情報記録再生装置。
【請求項２】
前記再生トラック幅が前記記録単位内のトラックピッチと前記記録単位間のトラックピッチとの和から記録トラック幅を差し引いた幅より小さくするようにしたことを特徴とする請求項１記載の情報記録再生装置。
【請求項３】
前記再生ヘッドの再生素子が各トラックにまたがる割合から、前記トラックから読出した記録情報を次に読出される記憶情報が入力されるまで一時蓄積する先行情報一時記憶手段に蓄積される以前に再生されたトラックの信号成分と今回再生するトラックの信号成分との間において記録情報の一部を読出すことが避けられないことを示す干渉の程度を知り、その干渉の程度を基に今回再生する記録情報から以前に再生された既知の記録情報の干渉分を差し引くことで前記今回再生する記録情報を正確に再生することを特徴とする請求項１または請求項２記載の情報記録再生装置。
【請求項４】
記録ビットがパターンとして形成されている記録メディアにおいて、前記記録メディアにおける記録単位内のトラックにおいてランダムな記録を行わず、外周方向から内周方向のトラックへの順次記録及び内周方向から外周方向のトラックへの順次記録のうちの一方を示すインクリメント記録を行う情報記録再生装置であって、任意の記録単位と別の記録単位との間における隣接トラックの円周方向ドットピッチを示す記録単位間の円周方向ドットピッチを任意の記録単位内における隣接トラックの円周方向ドットピッチを示す記録単位内の円周方向ドットピッチより大きくし、再生ヘッドの再生素子の幅を示す再生素子感度幅を前記記録単位間の円周方向ドットピッチより小さくかつ前記記録単位内の円周方向ドットピッチより大きくするようにしたことを特徴とする情報記録再生装置。
【請求項５】
前記再生素子感度幅が前記記録単位内のドットピッチと前記記録単位間のドットピッチとの和から記録ドット幅を差し引いた幅より小さくするようにしたことを特徴とする請求項４記載の情報記録再生装置。
【請求項６】
前記再生ヘッドの再生素子が各トラックにまたがる割合から、前記トラックから読出した記録情報を次に読出される記憶情報が入力されるまで一時蓄積する先行情報一時記憶手段に蓄積される以前に再生されたトラックの信号成分と今回再生するトラックの信号成分との間において記録情報の一部を読出すことが避けられないことを示す干渉の程度を知り、その干渉の程度を基に今回再生する記録情報から以前に再生された既知の記録情報の干渉分を差し引くことで前記今回再生する記録情報を正確に再生することを特徴とする請求項４または請求項５記載の情報記録再生装置。
【発明の詳細な説明】
【０００１】
【発明の属する技術分野】
本発明は情報記録再生装置に関し、特に同心円状あるいはスパイラル状の複数のトラックによって構成される記録再生装置及び記録ビットがドット状に形状あるいは構造で規定された記録メディアを持つ記録再生装置に関する
【０００２】
【従来の技術】
従来、磁気記録再生装置の高密度化に伴って、線記録密度と同様に、トラック密度も顕著に増加している。トラック密度の増加は、つまりトラックピッチ（隣接するトラックとの距離）の減少を意味し、これに伴って記録トラック幅と再生トラック幅とを小さくする必要がある。
【０００３】
一方、ヘッドの位置決め誤差に起因して、トラック中心に再生ヘッドを正確に位置させることが困難であり、また記録時にもトラックを定められた正確な位置に記録させることが困難である。
【０００４】
記録トラック中心から再生ヘッドが上記位置決め誤差分ずれた位置で再生された場合において、隣接する別のトラックからの信号をも読出すことになる。このために、再生トラック幅を記録トラック幅より小さくすることで改善している。
【０００５】
しかしながら、再生トラック幅を狭くすると、感度が十分でなくなる場合があり、十分な再生出力が得られない場合がある。また、製造交差の問題で、再生トラック幅が記録トラック幅よりも大きくなる可能性がある。
【０００６】
さらに、記録ビットを形状あるいは構造で規定するパターンドメディアの実現が望まれているが、この場合においても、上記と同様の理由によって再生感度幅を記録ドットの円周方向の幅より小さくする必要があり、少なくともドットピッチより小さくする必要があるが、再生感度幅の狭小化によって多くの問題が発生する可能性がある。
【０００７】
記録単位が複数のトラックにまたがる装置構成において、記録単位内ではトラックをランダムに記録するのではなく、インクリメント記録する（外周方向から内周方向に順々にトラックを記録するか、内周方向から外周方向に順々にトラックを記録する）ことが可能となり、記録トラック幅をトラックピッチより大きくすることが可能となるため、記録トラック幅のばらつきに対して装置特性の変化が抑えられ、記録トラック幅に対する製造歩留まりを向上させることができる。しかしながら、再生トラック幅はトラックピッチより小さくしなければならないため、再生トラック幅に関する問題の解決とはならない。
【０００８】
【発明が解決しようとする課題】
上述した従来の記録再生装置では、トラックピッチを小さくするために、再生トラック幅を小さくすると、感度が十分でなくなる場合があり、十分な信号−ノイズ比（ＳＮＲ）が得られない可能性があり、高いトラック密度を実現することが困難になっている。
【０００９】
また、従来の記録再生装置では、再生トラック幅を設計通りに公差なく製造することが不可能であり、再生トラック幅を減少させると、製造公差の割合が相対的に大きくなる。この点において、再生トラック幅が小さくなると、製造歩留まりが顕著に悪化することが懸念される。
【００１０】
そこで、本発明の目的は上記の問題点を解消し、再生トラック幅が記録単位内トラックピッチより大きくすることができるので、トラック密度の向上を図ることができるとともに、再生トラック幅の製造公差に対する歩留まりを向上させることができる情報記録再生装置を提供することにある。
【００１１】
【課題を解決するための手段】
本発明による情報記録再生装置は、記録媒体が同心円状及びスパイラル状のいずれかの複数のトラックによって構成され、前記記録媒体における記録単位内のトラックにおいてランダムな記録を行わず、外周方向から内周方向のトラックへの順次記録及び内周方向から外周方向のトラックへの順次記録のうちの一方を示すインクリメント記録を行う情報記録再生装置であって、再生ヘッドの再生トラック幅が任意の記録単位と別の記録単位との間における隣接トラックのトラックピッチを示す記録単位間のトラックピッチより小さくかつ任意の記録単位内における隣接トラックのトラックピッチを示す記録単位内のトラックピッチより大きくするようにしている。
【００１２】
本発明による他の情報記録再生装置は、記録ビットがパターンとして形成されている記録メディアにおいて、前記記録メディアにおける記録単位内のトラックにおいてランダムな記録を行わず、外周方向から内周方向のトラックへの順次記録及び内周方向から外周方向のトラックへの順次記録のうちの一方を示すインクリメント記録を行う情報記録再生装置であって、任意の記録単位と別の記録単位との間における隣接トラックの円周方向ドットピッチを示す記録単位間の円周方向ドットピッチを任意の記録単位内における隣接トラックの円周方向ドットピッチを示す記録単位内の円周方向ドットピッチより大きくし、再生ヘッドの再生素子の幅を示す再生素子感度幅を前記記録単位間の円周方向ドットピッチより小さくかつ前記記録単位内の円周方向ドットピッチより大きくするようにしている。
【００１３】
すなわち、本発明の情報記録再生装置は、記録単位が複数のトラックにまたがる装置構成において、記録単位内で、トラックをランダムに記録するのではなく、インクリメント記録する（外周方向から内周方向に順々にトラックを記録するか、内周方向から外周方向に順々にトラックを記録する）ことが可能となり、この場合、記録単位内のトラックにおいて記録する順番、再生する順番を決定することが可能である。
【００１４】
つまり、注目したトラックを再生する際に、隣接する両側のトラックのうちの時間的に先に再生されたトラックの再生データは既知である。保存データが未知であるトラックとの再生データ干渉を取り除くことは困難であるが、データが既知であるトラックとの再生データとの干渉は容易に取り除くことが可能である。
【００１５】
よって、上記構成のトラックにおいては、記録トラック幅よりも再生トラック幅を広くすることが可能となる。この場合において、隣接するトラックのうちの時間的に以前に（先行して）再生したトラックとの干渉を大きくし、時間的に以後に（連続して）再生する予定のトラックとの干渉をできるだけ小さくするように再生素子の位置決めを行うと更に効果的である。
【００１６】
トラック間干渉を低減する具体的な方法は、時間的に以前に再生したトラックの再生離散化データを蓄積しておき、目的のトラックの再生離散化データから隣接トラックの再生データを干渉の程度に応じて差し引くことで達成される。
【００１７】
上記干渉の程度は、例えばバーストパターンを用いてトラッキングする際の位置誤差信号強度から抽出することが可能である。上記の手段によって、再生トラック幅を、記録単位間トラックピッチと記録単位内トラックピッチとの和から記録トラック幅を差し引いた幅まで広げることが可能となる。
【００１８】
また、記録ビットを形状あるいは構造で規定するパターンドメディアにおいても、上記と同様の手段によって、再生感度幅を記録単位間の円周方向ドットピッチと記録単位内の円周方向ドットピッチとの和から記録ドットの円周方向幅を差し引いた幅まで広げることが可能となる。
【００１９】
上述したように、従来の問題を解消するため、再生トラック幅を小さくせずに、トラックピッチを小さくした際に懸念される隣接トラックとの干渉を補償する手法を採用することで、装置の特性が再生トラック幅に顕著に依存しないため、再生ヘッドの製造歩留まりを向上させることが可能となる。
【００２０】
【発明の実施の形態】
次に、本発明の実施例について図面を参照して説明する。図１は本発明の一実施例による記録単位内記録と記録単位間記録とを示す模式図である。この図１を参照して本発明の一実施例による記録単位内記録と記録単位間記録とについて説明する。
【００２１】
ひとつの記録単位が複数のトラックにまたがる装置構成において、記録単位内ではインクリメント記録する（外周方向から内周方向に順々にトラックを記録するか、内周方向から外周方向に順々にトラックを記録する）ことが可能である。
【００２２】
例えば、記録単位内のトラックが５本であるとした場合には図１に示すようなトラック構成となる。つまり、ある記録単位にトラック１−１からトラック１−５まで、別の記録単位にトラック２−１からトラック２−５まで、更に別の記録単位にトラック３−１からトラック３−５までのトラックを有するものとする。
【００２３】
記録単位内ではインクリメント記録を行うことにし、つまりトラック１−１からトラック１−５まで、トラック２−１からトラック２−５まで、トラック３−１からトラック３−５までは順に記録を行う。
【００２４】
一方、各記録単位はランダムに記録が行われるため、例えばトラック１−５とトラック２−１、あるいはトラック２−５とトラック３−１等に関してはどちらが先に記録されるかは特定されない。
【００２５】
このようなトラック構成において、例として、トラック２−１を読出すために、再生ヘッドが再生素子＃１の位置にある場合においては、トラック２−１の記録情報だけでなく、トラック２−２の記録情報をも読出すため、トラック２−１の記録情報を正確に再生することができない場合が多い。
【００２６】
しかしながら、再生ヘッドが再生素子＃２の位置にある場合には、トラック２−１及び記録単位間の無信号部を読出すだけであるため、トラック２−１の記録情報を正確に再生することが可能である。
【００２７】
但し、再生素子幅が記録単位間トラックピッチと記録単位内トラックピッチとから記録トラック幅を差し引いた幅より大きい場合には、再生素子＃２の位置においてもトラック２−２あるいはトラック１−５の記録情報の一部を読出すことが避けられないため、目的を達成することができない。よって、再生素子幅は記録単位間トラックピッチと記録単位内トラックピッチとの和から記録トラック幅を差し引いた幅より小さいことが必要条件となる。
【００２８】
また、再生ヘッドが再生素子＃３の位置にある場合には、トラック２−３，２−４，２−５の３つのトラックの記録情報を読出してしまうため、正確に記録情報を再生することができない。しかしながら、再生ヘッドが再生素子＃４の位置にある場合には、トラック２−３，２−４の２つのトラックの記録情報を読出すことになる。
【００２９】
上述したように、記録単位内のトラックはトラック２−１からトラック２−５に順に記録される。記録単位内の記録情報は記録した順に再生をも行われるため、トラック２−４を再生する際にはトラック２−３が時間的に前に再生されており、トラック２−３の記録情報は既知である。
【００３０】
よって、読出しデータがトラック２−３とトラック２−４とが干渉されたものであったとしても、既知のトラック２−３の読出しデータを一時的に蓄積しておくことで、トラック２−３の干渉分を差し引くことが可能となり、トラック２−４の記録情報を正確に再生することができる。
【００３１】
もしも、記録単位間トラックピッチを十分に広くすることができれば、再生感度幅（図中に示した各再生素子＃１〜＃４の幅）を記録単位内トラックピッチの２倍以上にすることも可能である。この場合にはトラック２−４を再生するために、トラック２−３だけでなく、トラック２−２の記録情報をも読出すことになる。
【００３２】
この場合には時間的に先に再生されたトラック２−２及びトラック２−３の再生データを一時的に蓄積しておくことで、トラック２−２及びトラック２−３の干渉分を差し引くことができ、トラック２−４の記録情報を正確に再生することができる。
【００３３】
尚、トラック２−３あるいはトラック２−２の再生データの蓄積において、高いサンプリングレートで捕捉されたデータをすべて蓄積する必要はなく、最低、最短記録ビット長に相当するサンプリングレートで捕捉されたデータを蓄積すればよいが、これより高いサンプリングレートで捕捉されたデータを蓄積することが望ましい。
【００３４】
次に、トラック２−４を再生する際に、トラック２−３の分の読出しデータを差し引く場合において、トラック２−３の信号成分とトラック２−４の信号成分との干渉の程度を知る必要がある。
【００３５】
再生素子＃１〜＃４の位置が正確に把握されれば、再生素子＃１〜＃４が各トラックにまたがる割合を知ることができるため、例えばバーストパターンを用いてトラッキングする際には位置誤差信号強度から各トラックにまたがる割合を抽出することが可能である。
【００３６】
以上のような構成及び手法を用いることによって、再生トラック幅を小さくしなくても、記録トラック密度を向上させることができる。記録単位内でインクリメント記録を行う場合、再生トラック幅を、記録単位間トラックピッチと記録単位内トラックピッチとの和から記録トラック幅を差し引いた幅より小さくすること、並びに記録単位内のある目的のトラックを再生する際に、時間的に以前に再生した隣接トラックの再生データを蓄積しておき、トラックの干渉の程度に応じて時間的に以前に再生したトラックの信号成分を読出し波形から差し引くことで、目的のトラックの記録情報を正確に再生することができる。
【００３７】
これによって、再生トラック幅を小さくしなくても、記録単位内トラックピッチを小さくすることができ、トラック密度の向上を図ることができる。また、トラックピッチが再生トラック幅によって制限されないため、再生トラック幅の製造公差に対する歩留まりを向上させることができる。
【００３８】
尚、記録ビットを形状あるいは構造で規定するパターンドメディアにおいても、上記と同様の手段によって、再生感度幅を記録単位間の円周方向ドットピッチと記録単位内の円周方向ドットピッチとの和から記録ドットの円周方向幅を差し引いた幅まで広げることが可能となる。
【００３９】
図２は本発明の一実施例による情報記録再生装置の構成を示すブロック図である。図２において、本発明の一実施例による情報記録再生装置は記録媒体１１と、再生ヘッド１２と、記録情報読出部１３と、先行記録情報一時蓄積部１４と、記録情報再生部１５とから構成されている。
【００４０】
記録媒体１１は複数のトラックから構成され、再生ヘッド１２はその再生素子（図示せず）の幅が記録単位間トラックピッチと記録単位内トラックピッチとの和から記録トラック幅を差し引いた幅より小さくなっている。
【００４１】
記録情報読出部１３は再生ヘッド１２によって記録媒体１１のトラックから読出した記録情報を先行記録情報一時蓄積部１４と記録情報再生部１５とに出力する。先行記録情報一時蓄積部１４は記録情報読出部１３からの記録情報を、次に読出される記録情報が入力されるまで一時蓄積する。つまり、先行記録情報一時蓄積部１４には既知の記録情報が蓄積されていることになる。
【００４２】
記録情報再生部１５は記録情報読出部１３からの記録情報から、先行記録情報一時蓄積部１４に蓄積された既知の記録情報の干渉分を差し引くことで、記録情報を正確に再生し、再生記録情報として出力する。
【００４３】
よって、再生トラック幅を小さくしなくても記録単位内トラックピッチを小さくすることができ、トラック密度の向上を図ることができるとともに、再生トラック幅の製造公差に対する歩留まりを向上させることができる。
【００４４】
図３は本発明の他の実施例による情報記録再生装置の構成を示すブロック図である。図３において、本発明の他の実施例による情報記録再生装置はトラッキング部１６及びトラック占有率検出部１７を配設した以外は図２に示す本発明の一実施例による情報記録再生装置と同様の構成となっており、同一構成要素には同一符号を付してある。また、同一構成要素の動作は本発明の一実施例と同様である。
【００４５】
トラッキング部１６はバーストパターンを用いてトラッキングを行い、トラック占有率検出部１７はトラッキング部１６がトラッキングを行う際の位置誤差信号強度から再生ヘッド１２の再生素子（図示せず）が各トラックにまたがる割合を抽出して記録情報再生部１５に出力する。
【００４６】
記録情報再生部１５はトラック占有率検出部１７からの再生素子が各トラックにまたがる割合から以前に再生されたトラックの信号成分と今回再生するトラックの信号成分との干渉の程度を知り、その干渉の程度を基に記録情報読出部１３からの記録情報から、先行記録情報一時蓄積部１４に蓄積された既知の記録情報の干渉分を差し引くことで、記録情報を正確に再生し、再生記録情報として出力する。
【００４７】
これによって、再生トラック幅を小さくしなくても記録単位内トラックピッチを小さくすることができ、トラック密度の向上を図ることができるとともに、再生トラック幅の製造公差に対する歩留まりを向上させることができる。
【００４８】
【発明の効果】
以上説明したように本発明によれば、記録媒体が同心円状及びスパイラル状のいずれかの複数のトラックによって構成され、記録媒体の記録単位が全容量の２分の１以下に規定され、この記録単位内のトラックにおいてランダムな記録を行わず、外周方向から内周方向のトラックへの順次記録及び内周方向から外周方向のトラックへの順次記録のうちの一方を示すインクリメント記録を行う情報記録再生装置であって、再生トラック幅が記録単位間のトラックピッチより小さくかつ記録単位内のトラックピッチより大きくすることによって、再生トラック幅を小さくしなくても記録単位内トラックピッチを小さくすることができ、トラック密度の向上を図ることができるとともに、再生トラック幅の製造公差に対する歩留まりを向上させることができるという効果がある。
【図面の簡単な説明】
【図１】本発明の一実施例による記録単位内記録と記録単位間記録とを示す模式図である。
【図２】本発明の一実施例による情報記録再生装置の構成を示すブロック図である。
【図３】本発明の他の実施例による情報記録再生装置の構成を示すブロック図である。
【符号の説明】
１１  記録媒体
１２  再生ヘッド
１３  記録情報読出部
１４  先行記録情報一時蓄積部
１５  記録情報再生部
１６  トラッキング部
１７  トラック占有率検出部
【図１】
0003640585.tif 000002
【図２】
0003640585.tif 000003
【図３】
0003640585.tif 000004